(57)【特許請求の範囲】
【請求項１】
商品の商品コードと、当該商品の販売価格決定基準を与えるランクと、前記商品の販売価格を記録したランク設定データベースと、
複数のキーワードと、該複数のキーワードにそれぞれ対応した前記ランクとを少なくとも記録したキーワードデータベースと、
顧客端末に、顧客が購入する商品を選択させる受注手段と、
前記受注手段によって前記商品が選択されると、キーワード入力画面を表示するとともに、前記ランク設定データベースを参照して、前記受注手段によって前記顧客端末が選択した商品のランクを取得し、前記キーワードデータベースを参照して取得された該ランクと同一のキーワードを検索し、購入希望商品について前記顧客端末から入力されたキーワードと検索された該キーワードが一致する場合、前記ランク設定データベースの販売価格を設定して前記顧客端末に表示し、
前記顧客が前記販売価格で購入しないと選択すると、新たなキーワード入力画面を表示するとともに、前記ランク設定データベースを参照して、前記受注手段によって前記顧客端末が選択した商品のランクを取得し、前記キーワードデータベースを参照して取得された該ランクと同一のキーワードを検索し、購入希望商品について前記顧客端末から入力された新たなキーワードと検索された該キーワードが一致する場合、前記ランク設定データベースの新たな販売価格を設定して前記顧客端末に表示する処理を繰り返す販売価格設定手段
とを備えることを特徴とする商取引システム。
【請求項２】
前記商品の商品コード及び販売数の情報を持つ商品データベースを更に備え、
前記ランク設定データベースは、当該ランクを適用する商品の販売数の最大値であるランク限界値を有し、
前記商品データベースの前記販売数と、前記ランク設定データベースのランク限界値を比較し、前記販売数が前記ランク限界値を超えた場合、前記ランク設定データベースの販売価格を更新する販売価格更新手段
を更に備えていることを特徴とする請求の範囲第１項記載の商取引システム。
【請求項３】
顧客情報及び該顧客情報に対応した商品の購入履歴情報を少なくとも記録した顧客データベースを更に備えていることを特徴とする請求の範囲第１項あるいは第２項に記載の商取引システム。
【請求項４】
前記販売価格設定手段は、前記顧客データベースに記録された前記購入履歴情報を参照して前記販売価格を設定することを特徴とする請求の範囲第３項に記載の商取引システム。
【請求項５】
商取引サーバーが、ランク設定データベースに、商品の商品コードと、当該商品の販売価格決定基準を与えるランクと、前記商品の販売価格を記録するステップと、
前記商取引サーバーが、キーワードデータベースに、複数のキーワードと、該複数のキーワードにそれぞれ対応した前記ランクとを少なくとも記録するステップと、
前記商取引サーバーが、顧客端末に、顧客が購入する商品を選択させるステップと、
前記商品が選択されると、前記商取引サーバーが、キーワード入力画面を表示するステップと、
前記商取引サーバーが、前記ランク設定データベースを参照して、前記顧客端末が選択した商品のランクを取得するステップと、
前記商取引サーバーが、前記キーワードデータベースを参照して取得された該ランクと同一のキーワードを検索するステップと、
購入希望商品について前記顧客端末から入力されたキーワードと検索された該キーワードが一致する場合、前記商取引サーバーが、前記ランク設定データベースの販売価格を設定して前記顧客端末に表示するステップと、
前記顧客が前記販売価格で購入しないと選択すると、新たなキーワード入力画面を表示し、前記商取引サーバーが、前記ランク設定データベースを参照して、前記顧客端末が選択した商品のランクを取得し、前記商取引サーバーが、前記キーワードデータベースを参照して取得された該ランクと同一のキーワードを検索するステップと、
購入希望商品について前記顧客端末から入力された新たなキーワードと検索された該キーワードが一致する場合、前記商取引サーバーが、前記ランク設定データベースの新たな販売価格を設定して前記顧客端末に表示するステップと、
前記商取引サーバーが、前記販売価格で商取引処理を実行するステップ
とを備えることを特徴とする商取引方法。
【請求項６】
前記キーワードは、前記顧客端末から入力される文字列であることを特徴とする請求の範囲第５項に記載の商取引方法。
【請求項７】
前記キーワードは、前記商取引サーバーが提示する複数の項目から、前記顧客端末において選択されることを特徴とする請求の範囲第５項に記載の商取引方法。
【請求項８】
前記キーワードは、ゲームの結果として決定され、前記ゲームは、前記商取引サーバーが前記顧客端末にゲーム画面を表示し、制御したゲームであることを特徴とする請求の範囲第５項に記載の商取引方法。
【請求項９】
前記商取引サーバーが、顧客毎に顧客番号及び認証情報を発行し、前記顧客端末に送信するステップと、
前記商取引サーバーが、前記顧客端末に前記顧客番号及び前記認証情報を送信させ、認証するステップ
とを更に有することを特徴とする請求の範囲第５項乃至第８項いずれか１項記載の商取引方法。
【請求項１０】
前記販売価格を設定するステップは、前記商取引サーバーが、顧客データベースに記録された前記顧客の商品の購入履歴情報を参照して実施されることを特徴とする請求の範囲第９項に記載の商取引方法。
【請求項１１】
前記商取引サーバーが前記キーワードデータベースに記録するステップは、更に、前記キーワードに対応した応答文言を記録し、
前記商取引サーバーが、前記キーワードデータベースを参照して、前記キーワードに対応した応答文言を前記顧客端末に送信するステップを更に備えることを特徴とする請求の範囲第５項に記載の商取引方法。
【請求項１２】
前記商取引サーバーが前記キーワードデータベースに記録するステップは、更に、前記キーワードに対応した販売数を記録し、
前記販売価格を設定するステップは、前記商取引サーバーが、前記商品の販売数を参照することを特徴とする請求の範囲第５項に記載の商取引方法。
【請求項１３】
前記商取引サーバーが、前記ランク設定データベースに、前記ランクと、前記商品の販売価格を記録するステップにおいて、前記商取引サーバーが更に、当該ランクを適用する商品の販売数の最大値であるランク限界値を記録し、
商品の商品コード及び販売数の情報を持つ商品データベースの前記販売数と、前記ランク設定データベースのランク限界値を比較し、前記販売数が前記ランク限界値を超えた場合、前記ランク設定データベースの販売価格を更新売価格を更新するステップを更に備えることを特徴とする請求の範囲第５項に記載の商取引方法。
【請求項１４】
キーワードデータベースと、商品の商品コードと、当該商品の販売価格決定基準を与えるランクと、前記商品の販売価格を記録したランク設定データベースと、顧客端末によって前記商品が選択されると、キーワード入力画面を表示するとともに、前記ランク設定データベースを参照して、前記顧客端末が選択した商品のランクを取得し、前記キーワードデータベースを参照して取得された該ランクと同一のキーワードを検索し、購入希望商品について前記顧客端末から入力されたキーワードと検索された該キーワードが一致する場合、前記ランク設定データベースの販売価格を設定して前記顧客端末に表示し、前記顧客が前記販売価格で購入しないと選択すると、新たなキーワード入力画面を表示するとともに、前記ランク設定データベースを参照して、前記顧客端末が選択した商品のランクを取得し、前記キーワードデータベースを参照して取得された該ランクと同一のキーワードを検索し、購入希望商品について前記顧客端末から入力された新たなキーワードと検索された該キーワードが一致する場合、前記ランク設定データベースの新たな販売価格を設定して前記顧客端末に表示する処理を繰り返す販売価格設定手段とを備えた商取引サーバーに用いるコンピュータ読取り可能なデータ構造であって、
キーワードをキー値とし、
前記キーに関連づけられた商品の販売価格決定基準を与える前記ランクを少なくとも含み、更に、前記販売価格基準を適用する対象商品及び応答文言のうち少なくとも一つの項目を含むレコードの集合からなるキーワードファイル
から構成されていることを特徴とする販売価格設定データ構造を記録したコンピュータ読取り可能な記録媒体。
【請求項１５】
前記ランクを副キー値とし、
前記副キーに関連づけられた販売価格を少なくとも含むレコードの集合からなるランクファイル
を更に有することを特徴とする請求の範囲第１４項に記載の販売価格設定データ構造を記録したコンピュータ読取り可能な記録媒体。
【発明の詳細な説明】
【０００１】
【技術分野】
本発明は、オンラインショッピングにおいて商品の値引を行う商取引システム、商取引方法及び販売価格設定データ構造を記録した記録媒体に関するものである。
【０００２】
【背景技術】
現在、インターネットにおいて、様々なオンラインショッピングが行われている。それらのオンラインショッピングでは、通常のオフライン（対面）販売に対して、店舗に出向く必要がなく自宅でショッピングが出来る、多種多様の商品を見比べて購入する事が出来るなどの特徴があるが、価格が低い事を特徴とする事も多い。しかし現在、オンラインショッピングを提供する数多くのサイトがあり、各サイトはより多くの顧客を集めようと様々な工夫をしている。例えば、他のサイトに比べより安価な商品を提供する、扱う商品に特色を持たせる、無料メールアドレスを発行するなど顧客に特典を与える、メールで商品の広告を送る、ユーザーインターフェースを工夫する、等である。
【０００３】
そのうち、顧客はより安価な商品を提供するサイトに関心を持つ事が多い。顧客は同様の商品を扱う他のショッピングサイトと比較したり、あるいは、価格情報掲載されているサイトを参照して、最も安い料金で商品を提供しているショッピングサイトで購入をする事もしばしばある。この結果、オンラインショッピングにおいては単なる価格競争に陥ってしまっている。
【０００４】
しかしこのような状況において、サイトとしての利益を考えると、価格を下げる場合においても限界がある。更に、オンラインショッピングの提供サイト自体の魅力が欠けてしまっている問題点がある。
【０００５】
又、オンラインショッピングにおいて、商品を何度も購入していても販売価格が一定金額で、オフライン販売が提供するようなサービスに還元する事が出来なかった。例えば、オフライン販売では、顧客に対してはポイントカード等が発行されるシステムを採用して固定客を確保する事は良く知られている。しかし、オンラインショッピングではそれに相当するシステムがあまり知られていない。その結果、顧客は同じショッピングサイトで繰り返し購入する必要がなく、固定の顧客が少なかった。
【０００６】
又、商品を特別安く提供したサービス品について、その購入手段を友人に知らせたり、インターネットの掲示板等で広く開示されてしまう場合がある。その結果、そのサービス品にのみ購入が殺到し、最終的に赤字になってしまう事があった。
【０００７】
又、商品を販売するに従って、在庫を多く抱えてしまう商品などがでてくるが、その商品を顧客に売り込む方法がなかった。
【０００８】
【発明の開示】
本発明は、顧客にとって魅力的でかつ安価な商品を提供出来る商取引システム、商取引方法及び販売価格設定データ構造を記録した記録媒体を提供する事を目的とするものである。従って本発明の目的は、顧客がキーワードの設定を行うことや、ゲームやクイズを行うことによって、即ち、商品購入にゲーム性を持たせることで、顧客は商品の値引を受けられ、サービス提供側は集客度を上げる商取引システム、商取引方法及び販売価格設定データ構造を記録した記録媒体を提供するものである。
【０００９】
本発明の別の目的は、今までの購入実績によって更に割引が受けられる商取引システム及び商取引方法を提供するものである。
【００１０】
本発明の別の目的は、値引率の高い購入方法を再度利用されないように、キーワード、あるいは値引率を変更する商取引システム、商取引方法及び販売価格設定データ構造を記録した記録媒体を提供するものである。
【００１１】
本発明の別の目的は、商品の在庫数・販売数などを考慮して商品の販売価格を変動させ、顧客の商品購入を操作する商取引システム、商取引方法及び販売価格設定データ構造を記録した記録媒体を提供するものである。
【００１２】
本発明の第１の特徴は、顧客端末から商品の注文を受け付ける受注手段と、顧客端末からの入力が予想される複数のキーワード、複数のキーワードにそれぞれ対応した販売価格決定基準を与えるランク、キーワードが適用される商品の種別とを少なくとも記録したキーワードデータベースと、キーワードに依存して商品の販売価格を設定する販売価格設定手段とからなる事を特徴とする商取引システムとした事である。キーワードデータベースは、キーワードとそれに対応する販売価格を定義するデータベースである。キーワードの設定は、商品毎に行っても良いし、商品の種別毎に行っても良い。又、商取引サーバーが扱う全ての商品に対して設定を行っても良い。
【００１３】
本発明に依る商取引システムは好ましくは、商取引サーバーは、販売価格を更新する販売価格更新手段を更に備える。これにより、大変安価な販売価格を設定するキーワードが第三者に流出して注文が殺到したとしても、商取引サーバーに損害を与える事を防ぐ事が出来る。又、商取引サーバーは、顧客情報及び該顧客情報に対応した商品の購入履歴情報を少なくとも記録した顧客データベースを更に備えても良い。この場合、販売価格設定手段は、顧客データベースに記録された購入履歴情報を参照して販売価格を設定しても良い。これにより、顧客が同一の商取引サーバーで商品の購入を行えば、より安い商品を購入する事が出来る。従って、商取引サーバーは、より多くの固定顧客を確保する事が出来る。
【００１４】
本発明の第２の特徴は、顧客端末に商品情報を表示させるステップと、顧客端末の操作を介してキーワードを入力させるステップと、キーワード、キーワードに対応した販売価格決定基準を与えるランク、キーワードが適用される商品の種別とを少なくとも記録したキーワードデータベースを参照して、商品の販売価格を設定するステップと、販売価格を顧客端末に提示するステップと、販売価格で商取引処理を実行するステップとからなる商取引方法とした事である。ここで、キーワードは、顧客端末から入力される任意の文字列である。又は、提示する複数の項目から選択可能である。又は、ゲームあるいはクイズの結果として決定されるこれらのキーワードによって、商品の販売価格が設定されるので、顧客は様々なキーワードを入力する事になりゲーム性を高める事が出来る。又、販売価格を下げるばかりでなく、定価よりも高い販売価格を表示させるキーワードがあれば、よりゲーム性を高める事も出来る。
【００１５】
本目的に依る商取引方法は好ましくは、顧客毎に顧客番号及び認証情報を発行し、顧客端末に送信するステップと、顧客端末に顧客番号及び認証情報を送信させ、認証するステップとから更になる。顧客が顧客番号を持つ事により、商取引サーバーは、顧客管理を行い、顧客の商品購入履歴を取得する事が出来る。この場合、販売価格を設定するステップは、顧客データベースに記録された顧客の商品の購入履歴情報を参照して実施される。これにより、商品の購入実績が多い場合に、更に低い販売価格を設定する事が出来るので、固定の顧客を確保しやすくなる。
【００１６】
又、本目的に依る商取引方法は好ましくは、キーワードデータベースを参照して、キーワードに対応した応答文言を顧客端末に送信するステップを更に備えても良い。ここで「応答文言」とは、顧客端末から入力されるキーワードと会話形式で応答するメッセージであってもよいし、キーワードに対応する価格を提示するだけのものでも構わない。この場合、顧客は商取引サーバーと会話しながら商品を購入出来るので、よりゲーム性の高い、魅力的なオンラインショッピングを提供する事が出来る。あるいは、商取引サーバーが、キーワードによって商品の販売価格を設定するステップは、キーワードの意味に依らず販売価格を設定しても構わない。
【００１７】
又、本目的に依る商取引方法は好ましくは、販売価格を設定するステップは、商品の販売数又は在庫数を参照して販売価格を設定しても良い。これにより、商品の売れ行きや在庫に応じて商品の価格を設定する事が出来るので、顧客の購入意欲を制御し、無駄な在庫を抱える必要がなくなる。
【００１８】
又、本目的に依る商取引方法は好ましくは、販売価格を設定する方法を変更するステップを更に備えても構わない。これにより、商品の値引が大きいキーワードが第三者に流出し、注文が殺到しても、商取引サーバーに大きな損害を与える事はない。
【００１９】
本発明の第３の特徴は、キーワードデータベースと、該キーワードデータベースを参照して商品の販売価格を設定する販売価格設定手段とを備えた商取引サーバーに用いるコンピュータ読取り可能なデータ構造とした事である。即ち、このデータ構造は、キーワードをキー値とし、キーに関連づけられた販売価格、対象商品、応答文言、ランクのうち少なくとも一つの項目を含むレコードの集合からなるキーワードファイルから構成されている販売価格設定データ構造である。
【００２０】
ここで、「記録媒体」とは、例えばコンピュータの外部メモリ装置、半導体メモリ、磁気ディスク、光ディスク、光磁気ディスク、磁気テープなどのプログラムを記録する事が出来るような媒体などを意味する。具体的には、フレキシブルディスク、ＣＤ−ＲＯＭ，ＭＯディスク、カセットテープ、オープンリールテープなどが「記録媒体」に含まれる。また「応答文言」とは、顧客端末から入力されるキーワードと会話形式で応答するメッセージであってもよいし、キーワードに対応する価格を提示するだけのものでも構わない。これにより、商取引サーバーはキーワードに対応した販売価格、応答文言を提示する事が出来る。「ランク」とは、販売価格を決定する項目で、ランク対象範囲、販売価格のうち少なくとも一つの項目を含むレコードの集合からなるランクファイルで定義される。ランク対象範囲とは、ランクを決定するための項目で、例えば、販売数、在庫数などが挙げられる。又、ランクに応じて一律に販売価格を設定しても構わないし、あるキーワードを入力した場合にのみ大幅な値下げがあるなどの制御を行っても構わない。
【００２１】
【発明を実施するための最良の形態】
第１の実施例
本発明の第１の実施例に係る商取引方法は、顧客が入力したキーワードの意味に応じて商品の販売価格を設定し、更に顧客の販売実績に応じて販売価格を決定するものである。
【００２２】
本発明の第１の実施例における商取引システムのシステム構成図を、図１に示す。商取引システムは、商取引サーバー１、第１の顧客端末２ａ、第２の顧客端末２ｂ、・・・・と、通信ネットワーク（インターネット）３により構成される。第１の実施例においては、通信ネットワークとしてインターネットを挙げているが、パソコン通信などのその他のネットワークでも良い。商取引サーバー１、第１の顧客端末２ａ、第２の顧客端末２ｂ、・・・・は、インターネット３に接続されている。商取引サーバー１は、オンラインショッピングを提供するサーバーである。又、第１の顧客端末２ａ、第２の顧客端末２ｂ、・・・・は、商取引サーバー１が提供するオンラインショッピングで商品を購入する顧客が操作する顧客端末である。
【００２３】
商取引サーバー１のブロック図を図２に示す。商取引サーバーは、入力装置４１、出力装置４２、入出力装置４３、通信制御装置４４、一時記憶装置４５、時計装置４６、サーバー処理制御装置４７、顧客データベース４８、商品データベース４９、キーワードデータベース５０、ランク設定データベース５１により構成されている。入力装置４１は、キーボード、マウスなどにより、出力装置４２は、液晶ディスプレイ、ＣＲＴディスプレイなどの表示装置、インクジェットプリンタ、レーザープリンタなどの印刷装置等により構成される。入出力装置４３は、外部装置とのインターフェースで、ここで外部装置とは、ＣＤ−ＲＯＭ、ＭＯ、ＺＩＰなどの記憶装置等である。通信制御装置４４は、インターネット３に接続するためのインターフェースとなるものである。従って、モデム（ＭＯＤＥＭ）、宅内回線終端装置（ＤＳＵ）、通信制御装置（ＣＣＵ）、通信制御処理装置（ＣＣＰ）等のデータ回線終端装置がこれに該当する。又、ＴＡ（ターミナルアダプタ）、ダイアルアップルータ、ＬＡＮボード等もこれに該当する。一時記憶装置４５は、ＲＯＭ（ロム：Read Only Memory）及びＲＡＭ（ラム：Random Access Memory）が組み込まれている。ＲＯＭはサーバー処理制御装置４７において実行されるプログラムを格納しているプログラムメモリ等として機能し、ＲＡＭはサーバー処理制御装置４７におけるプログラム実行処理中に利用されるデータ等を格納したり、作業領域として利用されるデータメモリ等として機能する。時計装置４６は、商取引サーバー１に時間を表示するものである。又、商取引サーバー１と第１の顧客端末２ａ及び第２の顧客端末２ｂとデータを送受信する場合のタイムスタンプとなる時間を取得する時にも使用される。顧客データベース４８は、顧客の顧客番号、氏名、住所、電話番号、決済方法、メールアドレス等が記録されている。又、更に購入実績の履歴が記録されている。商品データベース４９は、商取引サーバー１が扱う商品の商品コード、商品名、価格、サイズ、商品説明ＵＲＬ（Uniform Resource Locator）等の商品に関する情報が記録されている。キーワードデータベース５０は、顧客が入力するキーワードに対し、商取引サーバー１の応答文言、販売価格を決定するランク、このキーワードが
有効な商品の対象等の項目が記録されている。ランク設定データベース５１は、ランクを決定するパラメータ及びランクにより設定される価格を定義している。例えば、ランク設定データベース５１は、商品コード、ランク、今まで販売した数、販売価格等の項目を持つ。ここでは、販売価格を決定するランクのパラメータとして今まで販売した数を例にしているが、在庫の数やその他の項目でも構わない。
【００２４】
サーバー処理制御装置４７は、顧客登録手段４７ａ、顧客認証手段４７ｂ、商品受注手段４７ｃ、販売価格設定手段４７ｄ、販売価格更新手段４７ｅ、キーワードデータベースデータ入力手段４７ｆにより構成される。顧客登録手段４７ａは、オンラインショッピングを新たに利用する場合、顧客が行う顧客登録を制御する手段である。顧客登録手段４７ａは、顧客データベース４８の更新を行う。顧客認証手段４７ｂは、既に顧客登録を行った顧客が、オンラインショッピングする時に入力する顧客番号、パスワードを認証する手段である。その際、顧客データベース４８の参照を行う。商品受注手段４７ｃは、顧客が購入する商品を選択させたり、商品の受注を制御するなどの一般的な電子商取引を制御する手段である。販売価格設定手段４７ｄは、キーワードによって異なる販売価格を設定する手段である。その際、キーワードデータベース５０及びランク設定データベース５１への参照を行う。販売価格更新手段４７ｅは、キーワードに依る販売価格を更新するものである。より具体的には、ランク設定データベース５１の各項目を更新する手段である。キーワードデータベースデータ入力手段４７ｆは、キーワードデータベース５０を更新するものである。例えば、季節や時事に関したキーワードを新規に登録するものである。
【００２５】
図３乃至図６は、第１の実施例における各々のデータベースの項目及びデータの一例である。
【００２６】
図３は、顧客データベース４８の一例である。顧客データベース４８は、以下の情報を持つ。
【００２７】
（ａ）顧客番号、氏名、住所、電話番号、生年月日、メールアドレス等の顧客情報。
【００２８】
（ｂ）カード会社名、有効期限、カード番号等の決済情報。
【００２９】
（ｃ）パスワード、リマインダー等の認証情報。ここで、データベースに登録されるパスワードは、暗号化されているのが望ましい。具体的には、顧客登録手段４７ａにおいてパスワードの暗号化を、顧客認証手段４７ｂにおいて、パスワードの平文化を行うのが良い。又、「リマインダー」は、パスワードを忘れた顧客にパスワードをメールで送信する場合に、顧客である事を認証するためのものである。顧客登録時に、顧客自らが質問と答を予め設定したものをリマインダーの質問項目と答項目に記録する。その後顧客がパスワードを忘れた場合、顧客にリマインダーの質問項目を提示し顧客に答えさせる。その答がリマインダーの答項目と一致する場合、顧客を認証し、パスワードをメールで送信する事が出来る。
【００３０】
（ｄ）購入日、商品コード、サイズ・色、個数等の購入実績の履歴情報。購入実績の履歴情報は、全ての購入実績を記録しても良いし、例えば最新の２０件の購入実績のみ記録しても良い。
【００３１】
図４は、商品データベース４９の一例である。商品データベース４９は、商品コード、商品名、価格、サイズ・色、商品説明ページ、在庫数、販売数、配送方法、手配日数等の情報を持つ。ここで、価格は値引前の商品の定価の事であり、この価格を元に商品の販売価格が計算される。
【００３２】
図５は、キーワードデータベース５０の一例である。キーワードデータベース５０は、シーケンス番号、キーワード、応答文言、ランク、対象等の情報を持つ。ここで、「シーケンス番号」は、データベースのインデックスに相当するキーである。「キーワード」は第１の顧客端末２ａ、第２の顧客端末２ｂ、・・・・等の顧客端末から入力が予想されるキーワードで、「応答文言」は、キーワードに対応して商取引サーバー１が表示するコメントである。「応答文言」は、顧客端末から入力されるキーワードと会話形式で応答するメッセージであってもよいし、キーワードに対応する価格を提示するだけのものでも構わない。「ランク」は、販売価格を決定する基準を与えるものである。「対象」は、「キーワード」が適用される商品の種別である。キーワードが全ての商品に対して有効であるとしても良い。又、家電等のある種類の商品に対してのみ有効であるとしても良い。更に、ある特定の商品に対してのみ有効であるとしても構わない。
【００３３】
図６は、ランク設定データベース５１の一例である。ランク設定データベースは、商品コード、ランク、販売数、ランク限界値、販売価格等の情報を持つ。ここの例では、ランクは商品コード毎に設定されているが、全ての商品について共通にしても構わないし、家電等のある種類の商品に対して共通にしても構わない。又、「ランク限界値」は、同一ランクが適用される商品の販売数の最大値である。ランク設定データベース５１を参照する事により、商品が販売される価格を取得する事が出来る。
【００３４】
図５及び図６に示すキーワードデータベース５０及びランク設定データベース５１のデータ構造は販売価格設定データ構造である。これを、コンピュータ読取り可能な記録媒体に保存しておいても良い。この記録媒体をコンピュータシステムによって読み込ませ、図２に示した一時記憶装置４５に格納し、この販売価格設定データ構造をサーバー処理制御装置４７で実行して販売価格を設定する事も出来る。ここで、記録媒体とは、例えば磁気ディスク、光ディスク、光磁気ディスク、磁気テープなどのプログラムを記録する事が出来るような媒体などが含まれる。コンピュータの外部メモリ装置も、ここで言う記録媒体に含まれる。
【００３５】
図７は、第１の実施例での商取引サーバー１のフローチャートである。
【００３６】
（ａ）まず、ステップＳ１０１において、第１の顧客端末２ａ、第２の顧客端末２ｂ、・・・・から、顧客登録の依頼か否か判断する。顧客登録の場合は、ステップＳ１０２において、顧客登録処理を行う。顧客登録処理は、図２における顧客登録手段４７ａを用いて実施する。
【００３７】
（ｂ）次に、ステップＳ１０３において、第１の顧客端末２ａ、第２の顧客端末２ｂ、・・・・から、商品購入の依頼か否か判断する。商品購入の場合は、ステップＳ１０４において、商品購入処理を行う。商品購入処理は、図２における顧客認証手段４７ｂ、商品受注手段４７ｃ、販売価格設定手段４７ｄを用いて実施する。
【００３８】
（ｃ）又、ステップＳ１０５において、キーワードの更新か否かを判断する。キーワード更新の場合は、ステップＳ１０６において、キーワード更新処理を行う。キーワード更新処理は、図２における販売価格更新手段４７ｅを用いて実施する。又、キーワード更新処理が実行されるのは、商品購入処理Ｓ１０４の後に実行される場合や、一定時間毎に起動する場合、商取引サーバー１を操作するオペレーターの命令によって起動する場合などが挙げられる。
【００３９】
図８は、図７の顧客登録処理における第１の顧客端末２ａ側のフローチャートである。ここでは、第１の顧客端末２ａが商取引サーバー１で顧客登録する例で説明しているが、第２の顧客端末２ｂが商取引サーバー１で顧客登録する場合も同様である。
【００４０】
（ａ）まずステップＳ１１１において、第１の顧客端末２ａは商取引サーバー１に接続を行う。
【００４１】
（ｂ）次にステップＳ１１２において、氏名・住所・決済方法など、顧客登録に必要な情報を第１の顧客端末２ａにおいて入力し、商取引サーバー１に送信する。
【００４２】
（ｃ）その後、ステップＳ１１３において、商取引サーバー１から送信される顧客番号を受信する。
【００４３】
（ｄ）最後に、ステップＳ１１４において、商取引サーバー１との接続を切断する。
【００４４】
図９は、図７の顧客登録処理における商取引サーバー１側のフローチャートである。
【００４５】
（ａ）まず、図８のステップＳ１１１に対応して、図９に示すステップＳ１２１において商取引サーバー１は第１の顧客端末２ａからの接続を受け付ける。
【００４６】
（ｂ）次に、ステップＳ１１２に対応して、ステップＳ１２２において、商取引サーバー１は、第１の顧客端末２ａから送信された氏名・住所・決済方法など、顧客登録に必要な情報を受信する。更に、ステップＳ１２３において、受信したデータが正当であるか否かチェックを行う。受信したデータが正当でない場合は、再度顧客端末２ａにデータを入力させても良い。チェック終了後、ステップＳ１２４において、顧客登録手段４７ａにより、顧客番号を発行し、受信した情報を顧客データベース４８に記録し、顧客登録を行う。
【００４７】
（ｃ）その後、ステップＳ１１３に対応して、ステップＳ１２５において、発行された顧客番号を第１の顧客端末２ａに送信し、表示する。
【００４８】
（ｄ）最後に、ステップＳ１１４に対応して、ステップＳ１２６において、第１の顧客端末２ａとの接続を切断する。
【００４９】
図１０は、図７の商品購入処理における第１の顧客端末２ａ側のフローチャートである。
【００５０】
（ａ）まず、ステップＳ１３１において、第１の顧客端末２ａは商取引サーバー１に接続する。
【００５１】
（ｂ）次に、ステップＳ１３２において、第１の顧客端末２ａにおいて顧客番号、パスワード等を入力する。入力された顧客情報、パスワード等は、商取引サーバー１に送信され、ステップＳ１３３において、正当性のチェックが行われる。正当でなかった場合は、ステップＳ１３８において、商取引サーバー１との接続が切断される。あるいは、ステップＳ１３２において、再び顧客番号、パスワード等を入力するようにしても良い。正当だった場合は、ステップＳ１３４に進む。
【００５２】
（ｃ）ステップＳ１３４において、第１の顧客端末２ａは、購入を希望する商品の検索を行う。
【００５３】
（ｄ）次に、ステップＳ１３５において、購入希望商品について、任意のキーワードを入力する。入力後、購入希望商品の販売価格が表示される。ステップＳ１３６において、表示された販売価格で購入するか否か選択する。購入しない場合は、ステップＳ１３５において、再びキーワードの入力を行う。あるいは、図示していないが、ステップＳ１３４において、希望商品の検索を行っても良い。購入する場合は、ステップＳ１３７において、商品購入を確認し、商取引サーバー１に送信する。
【００５４】
（ｅ）最後に、ステップＳ１３８において、商取引サーバー１との接続を切断する。
【００５５】
図１１は、図７の商品購入処理における商取引サーバー１側のフローチャートである。
【００５６】
（ａ）まず、図１０のステップＳ１３１に対応して、ステップＳ１４１において、商取引サーバー１は第１の顧客端末２ａからの接続を受け付ける。
【００５７】
（ｂ）次に、ステップＳ１３２に対応して、ステップＳ１４２において、商取引サーバー１は、第１の顧客端末２ａから送信された顧客番号、パスワードを受信し、ステップＳ１４３において、顧客認証手段４７ｂにより、顧客データベース４８を参照して、正当性のチェックを行う。正当でなかった場合は、ステップＳ１３８に対応して、ステップＳ１５３において、第１の顧客端末２ａからの接続を切断する。あるいは、ステップＳ１４２において、再び顧客番号、パスワード等を送信させても良い。正当だった場合は、ステップＳ１４４に進む。
【００５８】
（ｃ）ステップＳ１３４に対応して、ステップＳ１４４において、第１の顧客端末２ａが検索する商品の商品情報（商品の定価あるいは暫定商品価格を含む）を商品データベース４８から読み出し、キーワード入力画面とともに表示する。
【００５９】
（ｄ）次に、ステップＳ１３５に対応して、ステップＳ１４５において、第１の顧客端末２ａが送信したキーワードを受信する。ステップＳ１４６において、販売価格設定手段４７ｄは、キーワードデータベース５０及びランク設定データベース５１を参照して、販売価格の設定を行う。具体的には、第１の顧客端末２ａが検索した商品の商品情報に含まれる商品コード及び在庫数より、ランク設定データベース５１を参照し、第１の顧客端末２ａが検索した商品のランクを取得する。続いて、キーワードデータベース５０を参照して、取得されたランクと同一なキーワードを検索する。この検索されたキーワードが、第１の顧客端末２ａが入力したキーワードに一致するか否かの検索を行い、一致した場合、販売価格の設定を行う。更に加えて、ステップＳ１４７において、顧客データベース４８に記録された、顧客の購入履歴を取得し、ステップＳ１４８において、販売価格の再設定を行っても良い。これにより、購入履歴が多い顧客に対して更に販売価格を下げる事も可能になる。このように計算された販売価格を、ステップＳ１４９において第１の顧客端末２ａに送信し、表示する。ステップＳ１３６に対応して、ステップＳ１５０において、第１の顧客端末２ａは、表示された販売価格で購入するか否か選択する。購入しない場合は、ステップＳ１３５に対応して、ステップＳ１４５で、再びキーワードの受信を行う。あるいは、図示していないが、ステップＳ１４４において、商品情報の表示を行っても良い。購入する場合は、ステップＳ１３７に対応して、ステップＳ１５１において、第１の顧客端末２ａから商品購入確認を受信する。その後、ステップＳ１５２において、顧客データベース４８の購入履歴を更新する。
【００６０】
（ｅ）最後に、ステップＳ１３８に対応して、ステップＳ１５３において、第１の顧客端末２ａとの接続を切断する。
【００６１】
図１２は、図７のキーワード更新処理におけるフローチャートである。第１の実施例では、それぞれのキーワード毎に定義されたキーワードデータベース５０のランクを更新する事により、キーワードにより設定される販売価格を変更する。ここで、ランクは商品の販売数により決定される。
【００６２】
（ａ）まず、ステップＳ１５１において、商品データベース４９を参照して、商品の販売数を取得する。ステップＳ１５２において、キーワードデータベース５０を参照して、そのキーワードのランクを取得する。ステップＳ１５３において、ランク設定データベース５１を参照して、ランク限界値を取得する。
【００６３】
（ｂ）ステップＳ１５４において、販売数がランク限界値を越えた場合は、ステップＳ１５５において、ランクの更新を行う。具体的には、キーワードデータベース５０でキーワード毎に設定されたランクを更新する。
【００６４】
図１３は、第１の実施例において、顧客登録をしていない最初の顧客が、顧客登録を行う場合の、商取引サーバー１が表示する顧客登録処理用コンテンツの一例を示す図である。
【００６５】
（ａ）まず、トップページのポータル画面Ｐ１６１を表示する。ポータル画面Ｐ１６１には、商品購入方法、顧客登録の方法、キーワード入力方法、システム構成等必要事項の概略説明を読む事が出来る。そして、ポータル画面Ｐ１６１で顧客は、商品購入を行うか、顧客登録を行うか選択する事が出来る。顧客が、未だ顧客登録をしていなければ、顧客登録を選択する。
【００６６】
（ｂ）ポータル画面Ｐ１６１において、顧客が顧客登録を選択した場合、ポータル画面Ｐ１６１から入力フォームのある顧客登録画面Ｐ１６２に移動（リンク）する。顧客登録画面Ｐ１６２において、顧客は、顧客登録に必要なデータを入力フォームのテキストボックスを用いて入力する。顧客登録画面Ｐ１６２において、「Ｃａｎｃｅｌ」ボタンＢ１０１をクリックすると、入力項目をクリアし、再び顧客登録画面Ｐ１６２を表示する。顧客登録画面Ｐ１６２において、「ＯＫ」ボタンＢ１０２をクリックすると、顧客番号画面Ｐ１６３へリンクする。
【００６７】
図１４は、第１の実施例において、顧客登録済みの顧客が、商品を購入する際の、商取引サーバー１が表示するコンテンツの一例を示す図である。
【００６８】
（ａ）まず、トップページのポータル画面Ｐ１６１において、顧客が商品購入を選択した場合、入力フォームのある顧客認証画面Ｐ１７１へ移動（リンク）する。顧客認証画面Ｐ１７１で顧客は、入力フォームのテキストボックスを用いて、顧客番号とパスワードを入力する。顧客認証画面Ｐ１７１において、「Ｃａｎｃｅｌ」ボタンＢ１０３をクリックすると、入力項目をクリアし、再び顧客認証画面Ｐ１７１を表示する。顧客認証画面Ｐ１７１において、「ＯＫ」ボタンＢ１０４をクリックすると、商品名検索画面Ｐ１７２にリンクする。
【００６９】
（ｂ）商品名検索画面Ｐ１７２において、顧客は購入する商品を選択する。商品名検索画面Ｐ１７２において、テキストボックスに所望の商品名を入力して「検索」ボタンＢ１０５をクリックした場合、暫定商品価格提示画面Ｐ１７４へリンクし、検索された商品の暫定商品価格と商品情報を表示する。又、商品名検索画面Ｐ１７２において、おすすめ商品一覧をクリックした場合は、商品一覧画面Ｐ１７３に移動し、おすすめ商品一覧リストを表示する。商品一覧画面Ｐ１７３において、商品一覧リストの中から顧客が購入する商品を選択すると、その選択された商品に対応した商品情報画面に移動する。例えば、商品一覧画面Ｐ１７３において、八枚羽根リビング扇風機を選択すると、その選択された八枚羽根リビング扇風機に対応した暫定商品価格提示画面Ｐ１７４に移動する。暫定商品価格提示画面Ｐ１７４において、その八枚羽根リビング扇風機の暫定商品価格を初期値として表示する。
【００７０】
（ｃ）暫定商品価格提示画面Ｐ１７４において、商品の暫定商品価格（初期値）を見た顧客は、暫定商品価格提示画面Ｐ１７４のテキストボックスを用いて、キーワードの入力を行う。暫定商品価格提示画面Ｐ１７４の「ＯＫ」ボタンＢ１０６がクリックされると、入力されたキーワードに応じて、第１的中価格提示画面Ｐ１７６，第２的中価格提示画面Ｐ１７７，第３的中価格提示画面Ｐ１７８へリンクする。暫定商品価格提示画面Ｐ１７４において、「Ｃａｎｃｅｌ」ボタンＢ１０８をクリックすると、入力したキーワードがクリアされ、暫定商品価格提示画面Ｐ１７４を再び表示する。暫定商品価格提示画面Ｐ１７４において、「詳細」ボタンＢ１０７をクリックすると、商品詳細情報画面Ｐ１７５に移動し、商品の写真やサイズなどの商品の詳細情報を表示する。商品詳細情報画面Ｐ１７５において、「ＯＫ」ボタンＢ１０９をクリックすると、暫定商品価格提示画面Ｐ１７４を再び表示する。
【００７１】
（ｄ）第１的中価格提示画面Ｐ１７６，第２的中価格提示画面Ｐ１７７，第３的中価格提示画面Ｐ１７８で、「詳細」ボタンＢ１１１、Ｂ１１４及びＢ１１７をクリックすると、商品詳細情報画面Ｐ１７５に移動し、商品の写真やサイズなどの商品の詳細情報を表示する。商品詳細情報画面Ｐ１７５において「ＯＫ」ボタンＢ１０９をクリックすると、第１的中価格提示画面Ｐ１７６，第２的中価格提示画面Ｐ１７７，第３的中価格提示画面Ｐ１７８面を再び表示する。第１的中価格提示画面Ｐ１７６，第２的中価格提示画面Ｐ１７７及び第３的中価格提示画面Ｐ１７８面において、的中価格に同意出来なければ、それぞれの「Ｃａｎｃｅｌ」ボタンＢ１１２、Ｂ１１５及びＢ１１８をクリックすると、暫定商品価格提示画面Ｐ１７４を再び表示する。そして、再び暫定商品価格提示画面Ｐ１７４において新たなキーワードに挑戦する事が可能である。第１的中価格提示画面Ｐ１７６，第２的中価格提示画面Ｐ１７７及び第３的中価格提示画面Ｐ１７８のいずれかにおいて、その的中価格に同意した場合は、対応する的中価格提示画面の「ＯＫ」ボタンＢ１１０、Ｂ１１３又はＢ１１６をクリックすると、商品購入確認ダイアログ画面Ｐ１７９にリンクし、商品購入確認ダイアログを表示する。
【００７２】
（ｅ）商品購入確認ダイアログ画面Ｐ１７９において、「Ｎｏ」ボタンＢ１２０をクリックすると、再び、一つ前の画面である第１的中価格提示画面Ｐ１７６，第２的中価格提示画面Ｐ１７７及び第３的中価格提示画面Ｐ１７８のうちのいずれか一つの画面に戻る。商品購入確認ダイアログ画面Ｐ１７９において、「Ｙｅｓ」ボタンＢ１１９をクリックすると、商品購入契約が成立し、商品購入済画面Ｐ１８０へ移動する。
【００７３】
第１の実施例においては、キーワードデータベース５０及びランク設定データベース５１を用いたが、人工知能的装置を備えたコンピューターを用いて、キーワードの意味に対応した販売価格を決定しても良い。
【００７４】
第１の実施例においては、顧客はシステムと会話する事により、商品の値段を決める事が出来るので、より魅力的なショッピングサイトを提供する事が出来る。又、商品の購入実績の履歴に応じて商品の値段を決めるので、同じショッピングサイトで購入する事により、顧客はより安い値段で商品を購入する事が出来る。従って、ショッピングサイトの固定客を増やす事が出来る。
【００７５】
また、顧客が入力したキーワードにより、顧客の関心事を知ることが出来る。これにより、特定の商品にターゲットを絞ったセールのダイレクトメールを送る等が可能になり、の広報活動に生かすことが出来る。
【００７６】
このように、第１の実施例に依れば、キーワードの設定によって、商品の値引を受けられる商取引システム、商取引方法及び販売価格設定データ構造を記録した記録媒体を提供する事が出来る。又、第１の実施例に依れば、商品購入にゲーム性を持たせる事で、集客度を上げる商取引システム及び商取引方法を提供する事が出来る。又、第１の実施例に依れば、今までの販売実績によって更に割引が受けられる商取引システム及び商取引方法を提供する事が出来る。又、第１の実施例に依れば、値引率の高い購入方法を再度利用されないように、キーワード、あるいは値引率を変更する商取引システム、商取引方法及び販売価格設定データ構造を記録した記録媒体を提供する事が出来る。又、第１の実施例に依れば、商品の在庫数・販売数などを考慮して商品の値引率を変動させ、顧客の商品購入を操作する商取引システム、商取引方法及び販売価格設定データ構造を記録した記録媒体を提供する事が出来る。
【００７７】
第２の実施例
本発明の第２の実施例に係る商取引方法は、顧客が入力したキーワードの意味に依らず解析し、商品の販売価格を決定するものである。
【００７８】
図１５は、第２の実施例における商取引サーバー１のブロック図である。第１の実施例における商取引サーバー１のブロック図である図２と比べて、キーワードデータベースデータ入力手段４７ｆ及びランク設定データベース５１を備えていない点が異なる。ここで、第２の実施例におけるキーワードデータベース５０は、キーワードを機械的に解析するためのパラメータを記録するものである。又、第１の実施例と比べて、サーバー処理制御装置４７における販売価格設定手段４７ｄ及び販売価格更新手段４７ｅの各機能が異なる。具体的には、販売価格設定手段４７ｄは、キーワードデータベース５０のみの参照を行い、販売価格更新手段４７ｅは、キーワードデータベース５０の各項目を更新する手段である点が異なる。
【００７９】
図１６は、商品購入処理における商取引サーバー１側のフローチャートである。第１の顧客端末２ａ側のフローチャートは第１の実施例である図１０と同様である。
【００８０】
（ａ）まず、図１０のステップＳ１３１に対応して、ステップＳ３０１において、商取引サーバー１は第１の顧客端末２ａからの接続を受け付ける。
【００８１】
（ｂ）次に、ステップＳ１３２に対応して、ステップＳ３０２において、商取引サーバー１は、第１の顧客端末２ａから送信された顧客番号、パスワードを受信し、ステップＳ３０３において、顧客認証手段４７ｂにより、顧客データベース４８を参照して、正当性のチェックを行う。正当でなかった場合は、ステップＳ１３８に対応して、ステップＳ３１１において、第１の顧客端末２ａからの接続を切断する。正当だった場合は、ステップＳ３０４に進む。
【００８２】
（ｃ）ステップＳ１３４に対応して、ステップＳ３０４において、第１の顧客端末２ａが検索する商品情報（商品の定価あるいは暫定商品価格を含む）を商品データベース４８から読み出し、キーワード入力画面とともに表示する。
【００８３】
（ｄ）次に、ステップＳ１３５に対応して、ステップＳ３０５において、第１の顧客端末２ａが送信したキーワードを受信する。ステップＳ３０６において、販売価格設定手段４７ｄは、キーワードの文字コードについて解析を行う。ステップＳ３０７において、解析結果よりキーワードデータベース５０を参照して、第１の顧客端末２ａが検索した商品の販売価格の設定を行う。この販売価格を、ステップＳ３０８において第１の顧客端末２ａに送信し、表示する。ステップＳ１３６に対応して、ステップＳ３０９において、第１の顧客端末２ａは、表示された販売価格で購入するか否か選択する。購入しない場合は、ステップＳ１３５に対応して、ステップＳ３０５で、再びキーワードの受信を行う。あるいは、図示していないが、ステップＳ３０４において、商品情報の表示を行っても良い。購入する場合は、ステップＳ１３７に対応して、ステップＳ３１０において、第１の顧客端末２ａから商品購入確認を受信する。
【００８４】
（ｅ）最後に、ステップＳ１３８に対応して、ステップＳ３１１において、第１の顧客端末２ａとの接続を切断する。
【００８５】
図１７は、第２の実施例において、顧客登録済みの顧客が、商品を購入する際の、商取引サーバー１が表示するコンテンツの一例を示す図である。
【００８６】
（ａ）まず、図１３のトップページのポータル画面Ｐ１６１のポータル画面において、顧客が商品購入を選択した場合、入力フォームのある顧客認証画面Ｐ３２１へ移動（リンク）する。顧客認証画面Ｐ３２１で顧客は、入力フォームのテキストボックスを用いて、顧客番号とパスワードを入力する。顧客認証画面Ｐ３２１において、「Ｃａｎｃｅｌ」ボタンＢ３０１をクリックすると、入力項目をクリアし、再び顧客認証画面Ｐ３２１を表示する。顧客認証画面Ｐ３２１において、「ＯＫ」ボタンＢ３０２をクリックすると、商品名検索画面Ｐ３２２にリンクする。
【００８７】
（ｂ）商品名検索画面Ｐ３２２において、顧客は購入する商品を選択する。商品名検索画面Ｐ３２２において、テキストボックスに所望の商品名を入力して「検索」ボタンＢ３０３をクリックした場合、暫定商品価格提示画面Ｐ３２４へリンクし、検索された商品の暫定商品価格と商品情報を表示する。又、商品名検索画面Ｐ３２２において、おすすめ商品一覧をクリックした場合は、商品一覧画面Ｐ３２３に移動し、おすすめ商品一覧リストを表示する。商品一覧画面Ｐ３２３において、商品一覧リストの中から顧客が購入する商品を選択すると、その選択された商品に対応した商品情報画面に移動する。例えば、商品一覧画面Ｐ３２３において、八枚羽根リビング扇風機を選択すると、その選択された八枚羽根リビング扇風機に対応した暫定商品価格提示画面Ｐ３２４に移動する。暫定商品価格提示画面Ｐ３２４において、その八枚羽根リビング扇風機の暫定商品価格を初期値として表示する。
【００８８】
（ｃ）暫定商品価格提示画面Ｐ３２４において、商品の暫定商品価格（初期値）を見た顧客は、暫定商品価格提示画面Ｐ３２４のテキストボックスを用いて、キーワードの入力を行う。暫定商品価格提示画面Ｐ３２４の「ＯＫ」ボタンＢ３０４がクリックされると、入力されたキーワードに応じて、第１的中価格提示画面Ｐ３２６，第２的中価格提示画面Ｐ３２７，第３的中価格提示画面Ｐ３２８へリンクする。暫定商品価格提示画面Ｐ３２４において、「Ｃａｎｃｅｌ」ボタンＢ３０６をクリックすると、入力したキーワードがクリアされ、暫定商品価格提示画面Ｐ３２４を再び表示する。暫定商品価格提示画面Ｐ３２４において、「詳細」ボタンＢ３０５をクリックすると、商品詳細情報画面Ｐ３２５に移動し、商品の写真やサイズなどの商品の詳細情報を表示する。商品詳細情報画面Ｐ３２５において、「ＯＫ」ボタンＢ３０７をクリックすると、暫定商品価格提示画面Ｐ３２４を再び表示する。
【００８９】
（ｄ）第１的中価格提示画面Ｐ３２６，第２的中価格提示画面Ｐ３２７，第３的中価格提示画面Ｐ３２８で、「詳細」ボタンＢ３０９、Ｂ３１２及びＢ３１５をクリックすると、商品詳細情報画面Ｐ３２５に移動し、商品の写真やサイズなどの商品の詳細情報を表示する。商品詳細情報画面Ｐ３２５において「ＯＫ」ボタンＢ３０７をクリックすると、第１的中価格提示画面Ｐ３２６，第２的中価格提示画面Ｐ３２７，第３的中価格提示画面Ｐ３２８面を再び表示する。第１的中価格提示画面Ｐ３２６，第２的中価格提示画面Ｐ３２７及び第３的中価格提示画面Ｐ３２８面において、的中価格に同意出来なければ、それぞれの「Ｃａｎｃｅｌ」ボタンＢ３１０、Ｂ３１３及びＢ３１６をクリックすると、暫定商品価格提示画面Ｐ３２４を再び表示する。そして、再び暫定商品価格提示画面Ｐ３２４において新たなキーワードに挑戦する事が可能である。第１的中価格提示画面Ｐ３２６，第２的中価格提示画面Ｐ３２７及び第３的中価格提示画面Ｐ３２８のいずれかにおいて、その的中価格に同意した場合は、対応する的中価格提示画面の「ＯＫ」ボタンＢ３０８、Ｂ３１１又はＢ３１４をクリックすると、商品購入確認ダイアログ画面Ｐ３２９にリンクし、商品購入確認ダイアログを表示する。
【００９０】
（ｅ）商品購入確認ダイアログ画面Ｐ３２９において、「Ｎｏ」ボタンＢ３１８をクリックすると、再び、一つ前の画面である第１的中価格提示画面Ｐ３２６，第２的中価格提示画面Ｐ３２７及び第３的中価格提示画面Ｐ３２８のうちのいずれか一つの画面に戻る。商品購入確認ダイアログ画面Ｐ３２９において、「Ｙｅｓ」ボタンＢ３１７をクリックすると、商品購入契約が成立し、商品購入済画面Ｐ３３０へ移動する。
【００９１】
第２の実施例においては、顧客が入力したキーワードを機械的に解析するので、顧客にはランダムにキーワードを入力しより安い価格を探すというゲーム性を持たせる事が出来る。又、第１の実施例に比べてシステムの実現が容易である利点もある。
【００９２】
第２の実施例においても、第１の実施例と同様に、顧客の購入実績の履歴に依る割引を併用しても構わない。
【００９３】
又、第２の実施例においても、第１の実施例と同様、値引率の高い購入方法を再度利用されないように、キーワード、あるいは値引率を変更する商取引システム、商取引方法及び販売価格設定データ構造を記録した記録媒体を備えても構わない。
【００９４】
又、顧客が入力したキーワードにより、顧客の関心事を知ることが出来る。これにより、特定の商品にターゲットを絞ったセールのダイレクトメールを送る等が可能になり、広報活動に生かすことが出来る。
【００９５】
このように、第２の実施例に依れば、キーワードの設定によって、商品の値引を受けられる商取引システム、商取引方法及び販売価格設定データ構造を記録した記録媒体を提供する事が出来る。又、第２の実施例に依れば、商品購入にゲーム性を持たせる事で、集客度を上げる商取引システム及び商取引方法を提供する事が出来る。
【００９６】
第３の実施例
本発明の第３の実施例に係る商取引方法は、商取引サーバーが表示した項目からいずれか一つをキーワードとして顧客に選択させ、商品の販売価格を決定するものである。
【００９７】
商取引サーバー１のブロック図は、第２の実施例と同様である。ここで、第３の実施例におけるキーワードデータベース５０は、商取引サーバー１が提示する項目に応じて、値下げする金額を記録するためのものである。
【００９８】
図１８は、キーワードデータベース５０の一例である。ここでは、商取引サーバー１が提示する項目として色の種類を例に挙げている。キーワードデータベース５０は、シーケンス番号、色、割引金額等の情報を持つ。ここで、シーケンス番号は、データベースのインデックスに相当するキーである。
【００９９】
図１９は、商品購入処理における第１の顧客端末２ａ側のフローチャートである。
【０１００】
（ａ）まず、ステップＳ４０１において、第１の顧客端末２ａは商取引サーバー１に接続する。
【０１０１】
（ｂ）次に、ステップＳ４０２において、第１の顧客端末２ａにおいて顧客番号、パスワード等を入力する。入力された顧客情報、パスワード等は、商取引サーバー１に送信され、ステップＳ４０３において、正当性のチェックが行われる。正当でなかった場合は、ステップＳ４０８において、商取引サーバー１との接続が切断される。正当だった場合は、ステップＳ４０４に進む。
【０１０２】
（ｃ）ステップＳ４０４において、第１の顧客端末２ａから、購入を希望する商品の検索を行う。
【０１０３】
（ｄ）次に、ステップＳ４０５において、表示された項目のうちいずれか一つを選択する。選択後、購入希望商品の販売価格が表示される。ステップＳ４０６において、表示された販売価格で購入するか否か選択する。購入しない場合は、ステップＳ４０５において、再び項目の選択を行う。あるいは、図示していないが、ステップＳ４０４において、希望商品の検索を行っても良い。購入する場合は、ステップＳ４０７において、商品購入を確認し、商取引サーバー１に送信する。
【０１０４】
（ｅ）最後に、ステップＳ４０８において、商取引サーバー１との接続を切断する。
【０１０５】
図２０は、商品購入処理における商取引サーバー１側のフローチャートである。
【０１０６】
（ａ）まず、図１９のステップＳ４０１に対応して、ステップＳ４１１において、商取引サーバー１は第１の顧客端末２ａからの接続を受け付ける。
【０１０７】
（ｂ）次に、ステップＳ４０２に対応して、ステップＳ４１２において、商取引サーバー１は、第１の顧客端末２ａから送信された顧客番号、パスワードを受信し、ステップＳ４１３において、顧客認証手段４７ｂにより、顧客データベース４８を参照して、正当性のチェックを行う。正当でなかった場合は、ステップＳ４０８に対応して、ステップＳ４２０において、第１の顧客端末２ａからの接続を切断する。正当だった場合は、ステップＳ４１４に進む。
【０１０８】
（ｃ）ステップＳ４０４に対応して、ステップＳ４１４において、第１の顧客端末２ａが検索する商品情報（商品の定価あるいは暫定商品価格を含む）を商品データベース４８から読み出し、キーワード入力画面とともに表示する。
【０１０９】
（ｄ）次に、ステップＳ４０５に対応して、ステップＳ４１５において、第１の顧客端末２ａが送信した項目を受信する。ステップＳ４１６において、販売価格設定手段４７ｄは、キーワードデータベース５０を参照して、第１の顧客端末２ａが検索した商品の販売価格の設定を行う。設定された販売価格を、ステップＳ４１７において第１の顧客端末２ａに送信し、表示する。ステップＳ４０６に対応して、ステップＳ４１８において、第１の顧客端末２ａは、表示された販売価格で購入するか否か選択する。購入しない場合は、ステップＳ４０５に対応して、ステップＳ４１５で、再び項目の受信を行う。あるいは、図示していないが、ステップＳ４１４において、商品情報の表示を行っても良い。購入する場合は、ステップＳ４０７に対応して、ステップＳ４１９において、第１の顧客端末２ａから商品購入確認を受信する。
【０１１０】
（ｅ）最後に、ステップＳ４０８に対応して、ステップＳ４２０において、第１の顧客端末２ａとの接続を切断する。
【０１１１】
図２１は、第３の実施例において、顧客登録済みの顧客が、商品を購入する際の、商取引サーバー１が表示するコンテンツの一例を示す図である。
【０１１２】
（ａ）まず、図１３のトップページのポータル画面Ｐ１６１のポータル画面において、顧客が商品購入を選択した場合、入力フォームのある顧客認証画面Ｐ４３１へ移動（リンク）する。顧客認証画面Ｐ４３１で顧客は、入力フォームのテキストボックスを用いて、顧客番号とパスワードを入力する。顧客認証画面Ｐ４３１において、「Ｃａｎｃｅｌ」ボタンＢ４０１をクリックすると、入力項目をクリアし、再び顧客認証画面Ｐ４３１を表示する。顧客認証画面Ｐ４３１において、「ＯＫ」ボタンＢ４０２をクリックすると、商品名検索画面Ｐ４３２にリンクする。
【０１１３】
（ｂ）商品名検索画面Ｐ４３２において、顧客は購入する商品を選択する。商品名検索画面Ｐ４３２において、テキストボックスに所望の商品名を入力して「検索」ボタンＢ４０３をクリックした場合、暫定商品価格提示画面Ｐ４３４へリンクし、検索された商品の暫定商品価格と商品情報を表示する。又、商品名検索画面Ｐ４３２において、おすすめ商品一覧をクリックした場合は、商品一覧画面Ｐ４３３に移動し、おすすめ商品一覧リストを表示する。商品一覧画面Ｐ４３３において、商品一覧リストの中から顧客が購入する商品を選択すると、その選択された商品に対応した商品情報画面に移動する。例えば、商品一覧画面Ｐ４３３において、八枚羽根リビング扇風機を選択すると、その選択された八枚羽根リビング扇風機に対応した暫定商品価格提示画面Ｐ４３４に移動する。暫定商品価格提示画面Ｐ４３４において、その八枚羽根リビング扇風機の暫定商品価格を初期値として表示する。
【０１１４】
（ｃ）暫定商品価格提示画面Ｐ４３４において、商品の暫定商品価格（初期値）を見た顧客は、暫定商品価格提示画面Ｐ４３４のオプションボタンより、ラッキーカラーの選択を行う。暫定商品価格提示画面Ｐ４３４の「ＯＫ」ボタンＢ４０６がクリックされると、青・茶・桃を選択した場合は、第１的中価格提示画面Ｐ４０８、赤・紫・橙・紺を選択した場合は、第２的中価格提示画面Ｐ４３７、緑を選択した場合は、第３的中価格提示画面Ｐ４３８へリンクする。暫定商品価格提示画面Ｐ４３４において、「Ｃａｎｃｅｌ」ボタンＢ４０６をクリックすると、項目の選択がクリアされ、暫定商品価格提示画面Ｐ４３４を再び表示する。暫定商品価格提示画面Ｐ４３４において、「詳細」ボタンＢ４０５をクリックすると、商品詳細情報画面Ｐ４３５に移動し、商品の写真やサイズなどの商品の詳細情報を表示する。商品詳細情報画面Ｐ４３５において「ＯＫ」ボタンＢ４０７をクリックすると、暫定商品価格提示画面Ｐ４３４を再び表示する。
【０１１５】
（ｄ）第１的中価格提示画面Ｐ４３６，第２的中価格提示画面Ｐ４３７，第３的中価格提示画面Ｐ４３８で、「詳細」ボタンＢ４０９、Ｂ４１２及びＢ４１５をクリックすると、商品詳細情報画面Ｐ４３５に移動し、商品の写真やサイズなどの商品の詳細情報を表示する。商品詳細情報画面Ｐ４３５において「ＯＫ」ボタンＢ４０７をクリックすると、第１的中価格提示画面Ｐ４３６，第２的中価格提示画面Ｐ４３７，第３的中価格提示画面Ｐ４３８面を再び表示する。第１的中価格提示画面Ｐ４３６，第２的中価格提示画面Ｐ４３７及び第３的中価格提示画面Ｐ４３８面において、的中価格に同意出来なければ、それぞれの「Ｃａｎｃｅｌ」ボタンＢ４１０、Ｂ４１３及びＢ４１６をクリックすると、暫定商品価格提示画面Ｐ４３４を再び表示する。そして、再び暫定商品価格提示画面Ｐ４３４において新たな項目の選択に挑戦する事が可能である。第１的中価格提示画面Ｐ４３６，第２的中価格提示画面Ｐ４３７及び第３的中価格提示画面Ｐ４３８のいずれかにおいて、その的中価格に同意した場合は、対応する的中価格提示画面の「ＯＫ」ボタンＢ４０８、Ｂ４１１又はＢ４１４をクリックすると、商品購入確認ダイアログ画面Ｐ４３９にリンクし、商品購入確認ダイアログを表示する。
【０１１６】
（ｅ）商品購入確認ダイアログ画面Ｐ４３９において、「Ｎｏ」ボタンＢ４１８をクリックすると、再び、一つ前の画面である第１的中価格提示画面Ｐ４３６，第２的中価格提示画面Ｐ４３７及び第３的中価格提示画面Ｐ４３８のうちのいずれか一つの画面に戻る。商品購入確認ダイアログ画面Ｐ４３９において、「Ｙｅｓ」ボタンＢ４１７をクリックすると、商品購入契約が成立し、商品購入済画面Ｐ４４０へ移動する。
【０１１７】
第３の実施例においては、商取引サーバー１が表示したラッキーカラー等の項目の中から選択する事により、それぞれの候補価格提示画面Ｐ４３６、Ｐ４３７及びＰ４３８へ自動的に移動する。従って任意のキーワードを入力する第１の実施例及び第２の実施例に比べて販売価格を制御しやすい。
【０１１８】
又、ラッキーカラーではなく、数字、キーワード等あらゆる文字列を項目とする事が出来る。
【０１１９】
又、一つの項目を選択する実施例を挙げたが、いくつかの項目を選択出来るようにしても良い。この場合の表示画面は、オプションボタンではなくチェックボックスにするのが好ましい。更に、オプションボタンやチェックボックスを使用せずに、リストボックス、ドロップダウンリスト等を用いても構わない。
【０１２０】
又、ラッキーカラーは、顧客毎に設定しても構わない。例えば、顧客毎に予めラッキーカラーを通知しておき、その顧客の顧客番号とラッキーカラーが一致した場合のみ、大幅な値下げをすることもできる。
【０１２１】
又、第３の実施例においても、第１の実施例と同様、値引率の高い購入方法を再度利用されないように、キーワード、あるいは値引率を変更する商取引システム、商取引方法及び販売価格設定データ構造を記録した記録媒体を備えても構わない。
【０１２２】
このように、第３の実施例に依れば、項目の選択によって、商品の値引を受けられる商取引システム、商取引方法及び販売価格設定データ構造を記録した記録媒体を提供する事が出来る。又、第３の実施例に依れば、商品購入にゲーム性を持たせる事で、集客度を上げる商取引システム及び商取引方法を提供する事が出来る。
【０１２３】
第４の実施例
本発明の第４の実施例に係る商取引方法は、顧客がゲームを行い、その結果により商品の販売価格を決定するものである。
【０１２４】
商取引サーバー１のブロック図は、第２の実施例と同様である。ここで、第４の実施例におけるキーワードデータベース５０は、顧客が行うゲームの結果に応じた割引金額を記録するためのものである。
【０１２５】
図２２及び図２３は、キーワードデータベース５０の一例である。図２２は、ゲームとしてルーレットを行った場合のキーワードデータベース５０の例である。ルーレット場合、色が一致したかと数字したかの合計４通りの割引金額を設定する事が出来る。即ち、キーワードデータベース５０は、シーケンス番号、色、数字、割引金額等の項目を持つ。又、図２３は、ゲームとしてスロットを行った場合のキーワードデータベース５０の例である。スロットの場合、ある基本データに対して何桁一致したかで、割引金額を決定する事が出来る。即ち、キーワードデータベース５０は、シーケンス番号、基本データ、一致した桁数、割引金額等の項目を持つ。
【０１２６】
図２４は、商品購入処理における第１の顧客端末２ａ側のフローチャートである。
【０１２７】
（ａ）まず、ステップＳ５０１において、第１の顧客端末２ａは商取引サーバー１に接続する。
【０１２８】
（ｂ）次に、ステップＳ５０２において、第１の顧客端末２ａにおいて顧客番号、パスワード等を入力する。入力された顧客情報、パスワード等は、商取引サーバー１に送信され、ステップＳ５０３において、正当性のチェックが行われる。正当でなかった場合は、ステップＳ５０８において、商取引サーバー１との接続が切断される。正当だった場合は、ステップＳ５０４に進む。
【０１２９】
（ｃ）ステップＳ５０４において、第１の顧客端末２ａから、購入を希望する商品の検索を行う。
【０１３０】
（ｄ）次に、ステップＳ５０５において、ゲームを行う。ゲーム終了後、購入希望商品の販売価格が表示される。ステップＳ５０６において、表示された販売価格で購入するか否か選択する。購入しない場合は、ステップＳ５０５において、再びゲームを行う。あるいは、図示していないが、ステップＳ５０４において、希望商品の検索を行っても良い。購入する場合は、ステップＳ５０７において、商品購入を確認し、商取引サーバー１に送信する。
【０１３１】
（ｅ）最後に、ステップＳ５０８において、商取引サーバー１との接続を切断する。
【０１３２】
図２５は、商品購入処理における商取引サーバー１側のフローチャートである。
【０１３３】
（ａ）まず、図２４のステップＳ５０１に対応して、ステップＳ５１１において、商取引サーバー１は第１の顧客端末２ａからの接続を受け付ける。
【０１３４】
（ｂ）次に、ステップＳ５０２に対応して、ステップＳ５１２において、商取引サーバー１は、第１の顧客端末２ａから送信された顧客番号、パスワードを受信し、ステップＳ５１３において、顧客認証手段４７ｂにより、顧客データベース４８を参照して、正当性のチェックを行う。正当でなかった場合は、ステップＳ５０８に対応して、ステップＳ５２２において、第１の顧客端末２ａからの接続を切断する。正当だった場合は、ステップＳ５１４に進む。
【０１３５】
（ｃ）ステップＳ５０４に対応して、ステップＳ５１４において、第１の顧客端末２ａが検索する商品情報（商品の定価あるいは暫定商品価格を含む）を商品データベース４８から読み出し、キーワード入力画面とともに表示する。
【０１３６】
（ｄ）次に、ステップＳ５１５において、第１の顧客端末２ａにゲーム画面の表示を行い、ステップＳ５１６においてゲームの制御を行う。ステップＳ５０５に対応して、ゲーム終了後、ステップＳ５１７においてゲーム結果を取得する。ステップＳ５１８において、販売価格設定手段４７ｄは、キーワードデータベース５０を参照して、第１の顧客端末２ａが検索した商品の販売価格の設定を行う。設定された販売価格を、ステップＳ５１９において第１の顧客端末２ａに送信し、表示する。ステップＳ５０６に対応して、ステップＳ５２０において、第１の顧客端末２ａは、表示された販売価格で購入するか否か選択する。購入しない場合は、ステップＳ５０５に対応して、ステップＳ５１５で、ゲーム画面の表示を行う。あるいは、図示していないが、ステップＳ５１４において、商品情報の表示を行っても良い。購入する場合は、ステップＳ５０７に対応して、ステップＳ５２１において、第１の顧客端末２ａから商品購入確認を受信する。
【０１３７】
（ｅ）最後に、ステップＳ５０８に対応して、ステップＳ５２２において、第１の顧客端末２ａとの接続を切断する。
【０１３８】
第４の実施例においては、より高いゲーム性を持つオンラインショッピングを提供する事が出来る。又、ゲームの代わりにクイズを行っても良い。
【０１３９】
又、ゲームの当たりやすさ、クイズの難易度等を調整する事により、オンラインショッピングの収支を調整する事が出来る。
【０１４０】
又、第４の実施例においても、第１の実施例と同様、値引率の高い購入方法を再度利用されないように、キーワード、あるいは値引率を変更する商取引システム、商取引方法及び販売価格設定データ構造を記録した記録媒体を備えても構わない。
【０１４１】
このように、第４の実施例に依れば、顧客がゲームやクイズを行う事によって、商品の値引を受けられる商取引システム、商取引方法及び販売価格設定データ構造を記録した記録媒体を提供する事が出来る。又、第４の実施例に依れば、商品購入にゲーム性を持たせる事で、集客度を上げる商取引システム及び商取引方法を提供する事が出来る。
【０１４２】
その他の実施例
上記のように、本発明は第１乃至第４の実施例によって記載したが、この開示の一部をなす論述及び図面はこの発明を限定するものであると理解すべきではない。この開示から当業者には様々な代替実施例及び運用技術が明らかとなろう。
【０１４３】
キーワードデータベース５０あるいはランク設定データベース５１の項目として、割引金額あるいは販売価格を挙げたが、販売価格を算出する事が出来ればどちらの項目でも構わない。又、割引率等の項目でも構わない。
【０１４４】
このように、本発明はここでは記載していない様々な実施例等を含む事は勿論である。従って、本発明の技術的範囲は上記の説明から妥当な特許請求の範囲の記載によってのみ定められるものである。
【０１４５】
【産業上の利用可能性】
以上のように、本発明に係る商取引システム、商取引方法及び販売価格設定データ構造を記録した記録媒体は、インターネット等のオンラインショッピングで利用することができる。オンラインショッピングサイトにおいて、価格競争に陥る事に依る過度な価格の低下を抑制出来る有用性がある。
【図面の簡単な説明】
【図１】  図１は、本発明の第１の実施例におけるシステム構成図である。
【図２】  図２は、本発明の第１の実施例における商取引サーバーのブロック図である。
【図３】  図３は、本発明の第１の実施例における顧客データベースのデータ項目及びデータの例である。
【図４】  図４は、本発明の第１の実施例における商品データベースのデータ項目及びデータの例である。
【図５】  図５は、本発明の第１の実施例におけるキーワードデータベースのデータ項目及びデータの例である。
【図６】  図６は、本発明の第１の実施例におけるランク設定データベースのデータ項目及びデータの例である。
【図７】  図７は、本発明の第１の実施例における商取引サーバーのフローチャートである。
【図８】  図８は、本発明の第１の実施例において顧客登録をする場合の顧客端末側のフローチャートである。
【図９】  図９は、本発明の第１の実施例において顧客登録をする場合の商取引サーバー側のフローチャートである。
【図１０】  図１０は、本発明の第１の実施例において商品購入をする場合の顧客端末側のフローチャートである。
【図１１】  図１１は、本発明の第１の実施例において商品購入をする場合の商取引サーバー側のフローチャートである。
【図１２】  図１２は、本発明の第１の実施例においてキーワードを更新する場合の商取引サーバーのフローチャートである。
【図１３】  図１３は、本発明の第１の実施例において顧客登録をする場合のＷｅｂページのデザインの例である。
【図１４】  図１４は、本発明の第１の実施例において商品購入をする場合のＷｅｂページのデザインの例である。
【図１５】  図１５は、本発明の第２の実施例における商取引サーバーのブロック図である。
【図１６】  図１６は、本発明の第２の実施例において商品購入をする場合の商取引サーバー側のフローチャートである。
【図１７】  図１７は、本発明の第２の実施例において商品購入をする場合のＷｅｂページのデザインの例である。
【図１８】  図１８は、本発明の第３の実施例におけるキーワードデータベースのデータ項目及びデータの例である。
【図１９】  図１９は、本発明の第３の実施例において商品購入をする場合の顧客端末側のフローチャートである。
【図２０】  図２０は、本発明の第３の実施例において商品購入をする場合の商取引サーバー側のフローチャートである。
【図２１】  図２１は、本発明の第３の実施例において商品購入をする場合のＷｅｂページのデザインの例である。
【図２２】  図２２は、本発明の第４の実施例におけるキーワードデータベースのデータ項目及びデータの例（ルーレットゲームの場合）である。
【図２３】  図２３は、本発明の第４の実施例におけるキーワードデータベースのデータ項目及びデータの例（スロットゲームの場合）である。
【図２４】  図２４は、本発明の第４の実施例において商品購入をする場合の顧客端末側のフローチャートである。
【図２５】  図２５は、本発明の第４の実施例において商品購入をする場合の商取引サーバー側のフローチャートである。
【図１】
0004004950.tif 000002
【図２】
0004004950.tif 000003
【図３】
0004004950.tif 000004
【図４】
0004004950.tif 000005
【図５】
0004004950.tif 000006
【図６】
0004004950.tif 000007
【図７】
0004004950.tif 000008
【図８】
0004004950.tif 000009
【図９】
0004004950.tif 000010
【図１０】
0004004950.tif 000011
【図１１】
0004004950.tif 000012
【図１２】
0004004950.tif 000013
【図１３】
0004004950.tif 000014
【図１４】
0004004950.tif 000015
【図１５】
0004004950.tif 000016
【図１６】
0004004950.tif 000017
【図１７】
0004004950.tif 000018
【図１８】
0004004950.tif 000019
【図１９】
0004004950.tif 000020
【図２０】
0004004950.tif 000021
【図２１】
0004004950.tif 000022
【図２２】
0004004950.tif 000023
【図２３】
0004004950.tif 000024
【図２４】
0004004950.tif 000025
【図２５】
0004004950.tif 000026